(57)【要約】【課題】ムーブメントまたはソーラーセルの外形形状に左右されず、ムーブメントの新規開発時における新規部品点数を削減すると共に、使用者にとって見やすい日付表示が可能なソーラーセル付き電子時計を提供すること。【解決手段】指針表示機能を有する基礎ムーブメント１と、該基礎ムーブメント１の上方に積層されるソーラーセル５と、該ソーラーセル５の上方に積層される光透過性の文字板２とを有するソーラーセル付き電子時計において、前記ソーラーセル５を基礎ムーブメント１の筒車３と該筒車３に係合するソーラーセル押さえ座４とにより断面方向に係止する。ソーラーセル５は日付を表示する日車９の日付印刷面９ａと平面的に干渉せずにムーブメント１に固定される為、文字板２の真下に日車９の日付印刷面９ａが配置出来る。【選択図】      図１
2004279252.tif 000002
【特許請求の範囲】
【請求項１】
指針表示機能を有する基礎ムーブメントと、該基礎ムーブメントの上方に積層されるソーラーセルと、該ソーラーセルの上方に積層される光透過性の文字板とを有するソーラーセル付き電子時計において、前記ソーラーセルを基礎ムーブメントの指針車と該指針車に係合する押さえ部材とにより断面方向に係止した事を特徴とするソーラーセル付き電子時計。
【請求項２】
ディスク状の日車により日付を表示する日付表示機能と指針表示機能とを有する基礎ムーブメントと、該基礎ムーブメントの上方に積層されるソーラーセルと、該ソーラーセルの上方に積層される光透過性の文字板とを有するソーラーセル付き電子時計において、前記ソーラーセルの外径を前記日車の日付印刷面の内径より小さくするとともに、前記ソーラーセルを基礎ムーブメントの指針車と該指針車に係合する押さえ部材とにより断面方向に係止した事を特徴とするソーラーセル付き電子時計。
【請求項３】
前記ソーラーセルの平面方向の位置決め部材と前記日車を押える日車押さえ板の平面方向の位置決め部材とが異なる位置にある事を特徴とする請求項２に記載のソーラー付き電子時計。
【請求項４】
前記ソーラーセルの平面方向の位置決め部材と前記日車を押える日車押さえ板の平面方向の位置決め部材とは、少なくとも位置決め部材の一つが共通の位置にある事を特徴とする請求項２に記載のソーラー付き電子時計。
【請求項５】
ディスク状の日車により日付を表示する日付表示機能と指針表示機能とを有する基礎ムーブメントと、該基礎ムーブメントの上方に積層されるソーラーセルと、該ソーラーセルの上方に積層される光透過性の文字板とを有するソーラーセル付き電子時計において、前記ソーラーセルは前記日車の日付印刷面の内側に前記日車の日付印刷面と略同一高さに配置した事を特徴とするソーラーセル付き電子時計。
【発明の詳細な説明】
【０００１】
【発明の属する技術分野】
本発明は、ソーラーセル付き電子時計の構造に関する。詳しくは、ソーラーセルの固定方法に関する物である。
【０００２】
【従来の技術】
従来のソーラーセル付き電子時計におけるソーラーセルの固定方法は、電子時計のムーブメントの文字板側の上方にソーラーセルを重ね、該ソーラーセルの発電用受光部を除いたリング状の係止フックを有する支持部材をソーラーセル上方より被せ、前記係止フックとムーブメントに形成した係止凹部を係合させることにより前記支持部材とムーブメントとを締結させ、ソーラーセルをムーブメントの断面方向に挟み込み、固定しているものがある（例えば、特許文献１参照。）。
【０００３】
このソーラーセルの固定方法によれば、文字板とほぼ同サイズのソーラーセルを文字板の下面全体に配置する事になる。従って、ディスク状の日車にてカレンダーの日付を表示するタイプのソーラーセル付き電子時計の場合、前記日車は文字板の下面のソーラーセルより更に下面に配置する事になる。（例えば、特許参考文献２参照。）。
【０００４】
【特許文献１】
特開平１１−１４８９８１号公報  （２頁、図１）
【特許文献２】
特開２００２−９０４７５号公報  （８頁、図９）
【０００５】
【発明が解決しようとする課題】
特許文献１のような従来のソーラーセル固定方法では、ムーブメントまたはソーラーセルの新規開発によってその外形形状の変化が生じた場合、前記支持部材を各々の外形形状に合わせて作成する必要があった。
【０００６】
また、特許文献２のように日付を表示する日車は、ソーラーセル下面に配置される為、ソーラーセル無しの電子時計に比べて文字板面よりソーラーセルの厚み分だけ奥で表示する事になり、使用者にとって日車に印刷された日付がとても見づらくなるという問題を有していた。
【０００７】
本発明の目的は、上述のような欠点を解消し、ムーブメントまたはソーラーセルの外形形状に左右されず、ムーブメントの新規開発時における新規部品点数を削減すると共に、日車に印刷された日付が使用者にとって見やすい日付表示が可能なソーラーセル付き電子時計を提供する事にある。
【０００８】
【課題を解決するための手段】
上記目的を達成するため本発明は、指針表示機能を有する基礎ムーブメントと、該基礎ムーブメントの上方に積層されるソーラーセルと、該ソーラーセルの上方に積層される光透過性の文字板とを有するソーラーセル付き電子時計において、前記ソーラーセルを基礎ムーブメントの指針車と該指針車に係合する押さえ部材とにより断面方向に係止した事を特徴とする。
【０００９】
上記構成によって、前記ソーラーセルを指針車と押さえ部材とにより断面方向に挟み込んで係止ができるため、従来のようなリング状の支持部材が不要となり、ソーラーセル付き電子時計のムーブメントの外形形状及びソーラーセル外形形状に左右されない断面方向の固定が可能となり、新規開発のソーラーセル付き電子時計の種類が増えても、その都度新たな部品を開発する必要もなくすことができる。
【００１０】
また、ディスク状の日車により日付を表示する日付表示機能と指針表示機能とを有する基礎ムーブメントと、該基礎ムーブメントの上方に積層されるソーラーセルと、該ソーラーセルの上方に積層される光透過性の文字板とを有するソーラーセル付き電子時計において、前記ソーラーセルの外径を前記日車の日付印刷面の内径より小さくするとともに、前記ソーラーセルを基礎ムーブメントの指針車と該指針車に係合する押さえ部材とにより断面方向に係止した事を特徴とする。
【００１１】
上記構成によって、ディスク状の日車の日付印刷面の内径より小さいソーラーセルを使用することにより、ソーラーセルと日車との干渉がなくなり、日車を文字板のすぐ下に配置出来る為、文字板と日車の日付の印刷面との距離が短くなり、使用者にとって日付の見やすいソーラーセル付き電子時計の提供が可能となる。
また、文字板の日付表示窓位置を、前記ソーラーセルを考慮する事無く自由な位置に設定可能となり、日付の見やすいソーラーセル付き電子時計が提供できるばかりか、ソーラーセルがない電子時計の如くデザイン巾を広げる事が可能となる。
【００１２】
また、前記ソーラーセルの平面方向の位置決め部材と前記日車を押える日車押さえ板の平面方向の位置決め部材とが異なる位置にある事を特徴とする。
【００１３】
上記構成によって、前記ソーラーセルを自由な位置での位置決めが可能となる。
【００１４】
さらにまた、前記ソーラーセルの平面方向の位置決め部材と前記日車を押える日車押さえ板の平面方向の位置決め部材とは、少なくとも位置決め部材の一つが共通の位置にある事を特徴とする。
【００１５】
上記構成によって、前記ソーラーセルの平面方向の位置決め部材と前記日車を押える日車押さえ板の平面方向の位置決め部材とを共通に使用できるため、位置決め部材の削減が可能となり、位置決め部材の位置の制約が減り、モジュール自由な設計が可能となる。
【００１６】
または、ディスク状の日車により日付を表示する日付表示機能と指針表示機能とを有する基礎ムーブメントと、該基礎ムーブメントの上方に積層されるソーラーセルと、該ソーラーセルの上方に積層される光透過性の文字板とを有するソーラーセル付き電子時計において、前記ソーラーセルは前記日車の日付印刷面の内側に前記日車の日付印刷面と略同一高さに配置した事を特徴とする。
【００１７】
上記構成によって、ディスク状の日車の日付印刷面の内径より小さいソーラーセルを使用することにより、ソーラーセルと日車との干渉がなくなり、日車を文字板のすぐ下に配置出来る為、文字板と日車の日付の印刷面との距離が短くなり、使用者にとって日付の見やすいソーラーセル付き電子時計の提供が可能となる。
また、文字板の日付表示窓位置を、前記ソーラーセルを考慮する事無く自由な位置に設定可能となり、日付の見やすいソーラーセル付き電子時計が提供できるばかりか、ソーラーセルがない電子時計の如くデザイン巾を広げる事が可能となる。
【００１８】
【発明の実施の形態】
以下、本発明の実施の形態を図面に基づいて詳述する。
図１は本発明の一実施の形態を示すソーラーセル付き電子時計のムーブメントの主要部分を表す断面図、図２は図１のソーラーセル付き電子時計のムーブメントの平面図で、文字板を外した状態で文字板側より見た平面図である。
【００１９】
２１は図示されていない秒針が押し込まれ６０秒で１回転する四番車、２２は図示されていない分針が押し込まれ１時間で１回転する二番車、３は図示されていない時針が押し込まれ１２時間で１回転する筒車で、指針表示機能を有する基礎ムーブメント１に組み込まれている。
【００２０】
９は前記筒車３から輪列を介して１日１回駆動され、３１日で１周し、日付表示機能をなすディスク状の日車、１０は基礎ムーブメントの基台となる地板、８は前記筒車３の歯車部３ｂを断面方向に位置決めすると共に、前記ディスク状の日車９の平面方向の位置決めを行う筒車押さえ板、７は前記ディスク状の日車９を断面的に位置決めを行う日車押さえ板で、地板１０に筒車押さえ板８を積層し、ディスク状の日車９を筒車押さえ板８をガイドとして地板１０に積層し、この状態で日車押さえ板７を積層し、地板１０に固定されたチューブＡ（１０ａ）のネジ穴にネジＡ（１１ａ）を締め付ける事により図１の如く日車押さえ板７及び筒車押さえ板８は地板１０に固定されている。
【００２１】
このように、筒車押さえ板８が地板１０に固定される事で筒車３は歯車部分３ｂが地板１０と筒車押さえ板８に挟まれる為、断面方向の位置が決められる。また、日車押さえ板７が地板１０と固定される事で日車９はその歯車部分９ｂが地板１０と日車押さえ板７に挟まれる為、断面方向の位置が決められる。
【００２２】
５は前記基礎ムーブメント１の上方に積層されるソーラーセルで、ソーラーセル５の外径は前記ディスク状の日車９の日付印刷面９ａより小さく構成されている。６は前記ソーラーセル５により発電された電力を取り出し、基礎ムーブメント１の回路基板１３と電気的に接続するための接続シート、１２は接続シート押さえ板であり、前記接続シート６の一方は接続シート押さえ板１２の上方からネジＢ（１１ｂ）を地板１０に固定されたチューブＢ（１０ｂ）にネジ固定することにより回路基板１３と圧接して電気的に接続され、前記接続シート６の他方はソーラーセル５と熱圧接することにより電気的に接続され、ソーラーセル５と回路基板１３との電気的導通が図れるようなっている。
【００２３】
２は前記ソーラーセルの上方に積層される光透過性の文字板で、４は指針車の一つである前記筒車３に係合する押さえ部材をなすソーラーセル押さえ座で、前記筒車３と径嵌合で固定する事が出来る。
【００２４】
ソーラーセル５の断面方向の位置決めは、断面方向の位置が決まった筒車３のソーラーセル受け面３ａにソーラーセル５を載せた後ソーラーセル押さえ座４を筒車３に押し込み、径嵌合させて固定する。これでソーラーセル５は指針車の一つである前記筒車３のソーラーセル受け面３ａと該筒車３に係合する押さえ部材４とにより挟まれ断面方向に係止されて固定される。この固定方法は、基礎ムーブメント１の外形及びソーラーセル５の外形形状が変化されても変更する事はない。
【００２５】
なお、ソーラーセル５の中央部の穴径は、前記筒車の外形より若干大きく、又、前記筒車３のソーラーセル受け面３ａと押さえ部材４との距離は、ソーラーセル５の厚さより大きく、前記筒車３の回転がソーラーセル５に伝達されることがなく、さらに後述する位置決め部材とにより前記筒車３が回転しても前記ソーラーセル５が回転できないようになっている。
【００２６】
また、前記ディスク状の日車９の歯車部分９ｂと前記ソーラーセル５とは断面的に重なるが、前記ソーラーセル５は、前記ディスク状の日車９の日付印刷面９ａと略同一高さにおいて前記ディスク状の日車９の日付印刷面９ａの内側で固定しており、図２のように、日車９の日付印刷面９ａとソーラーセル５とは平面的に干渉していない。よって、図１の如く日車９の日付印刷面９ａは文字板２の直ぐ下に配置出来る。
【００２７】
次にソーラーセル５の平面方向の位置規制について詳述する。
図３は、図１のソーラーセル付き電子時計の部分断面図で、ソーラーセルの平面方向の位置決め方法を表わす断面図である。
【００２８】
図３において１０ｃは地板１０に固定された位置決め部材あるピンで、このピン１０ｃは、前記日車押さえ板７及び前記筒車押さえ板８を貫通して前記ソーラーセル５の穴５ｃに入り込み、前記ソーラーセル５の平面方向の位置決めを行う事が出来る。前記ピン１０ｃは、前記日車押さえ板７及び前記筒車押さえ板８にとって平面方向の位置決めとして使用することもできるが、前記日車押さえ板７及び前記筒車押さえ板８は別部材により平面方向の位置決めを行ってもよく、前記ソーラーセル５には何ら影響を与えない。
【００２９】
また、図２において前記ソーラーセル５の平面的な位置固定の為にピン１０ｃを２箇所用いているが、前記基礎ムーブメント１の前記筒車３は前記地板１０やその他の輪列部品により平面方向の位置固定がされている場合、前記ソーラーセル５は前記ピン１０ｃが一箇所でも充分平面方向の位置固定を行う事が出来る。
【００３０】
【発明の効果】
以上のように本発明によれば、ソーラーセル付き電子時計のムーブメントの外形形状及びソーラーセル外形形状に左右されない断面方向の固定が可能となり、日付の見やすいソーラーセル付き電子時計を提供することが可能となる。
【図面の簡単な説明】
【図１】本発明の一実施の形態を示すソーラーセル付き電子時計のムーブメントの主要部分を表す断面図である。
【図２】図１のソーラーセル付き電子時計のムーブメントの平面図で、文字板を外した状態で文字板側より見た平面図である。
【図３】図１のソーラーセル付き電子時計の部分断面図で、ソーラーセルの平面方向の位置決め方法を表わす断面図である。
【符号の説明】
１  基礎ムーブメント
２  文字板
３  筒車
３ａ  ソーラーセル受け面
４  ソーラーセル押さえ座
５  ソーラーセル
６  接続シート
７  日車押さえ板
８  筒車押さえ板
９  日車
９ａ  日付印刷面
１０  地板
【図１】
2004279252.tif 000003
【図２】
2004279252.tif 000004
【図３】
2004279252.tif 000005